(57)【特許請求の範囲】
【請求項１】
複数のＰＯＮブランチのうちの１つに各々が属する複数の光回線終端装置のうちのいずれかを送信先とする通信データを、ＰＯＮブランチ群毎に多重して複数系列の多重データを生成する多重化手段と、
前記通信データ毎に前記ＰＯＮブランチに対応する送信波長を指定する波長指定手段と、
前記多重データを構成する通信データの各々を当該指定された送信波長を搬送波として送信する複数の送信手段と、
当該送信された通信データの各々をその送信波長に応じて前記複数のＰＯＮブランチのうちのから選択した１つに送出する選択送出手段と、
前記通信データのトラフィック量に基づいて前記ＰＯＮブランチ群に含まれるＰＯＮブランチの組合せを変更する組合せ変更手段と、を含む収容局装置であって、
前記組合せ変更手段は、
前記通信データの総トラフィック量の平均値を断続的に算出する平均値算出手段と、
前記平均値の変化に基づいて閾値を設定する閾値設定手段と、
前記ＰＯＮブランチの各々についての要求帯域の加算値が前記閾値を超えないように前記複数のＰＯＮブランチのうちのいずれかを組み合わせて前記ＰＯＮブランチ群とする組合せ手段と、を含むことを特徴とする収容局装置。
【請求項２】
前記閾値設定手段は、前記平均値が低下した場合には前記閾値を大きくし、前記平均値が上昇した場合には前記閾値を小さくすることを特徴とする請求項１に記載の収容局装置。
【請求項３】
前記閾値設定手段は、前記平均値の変化量が大きいほど前記閾値の変化量を大きくすることを特徴とする請求項２に記載の収容局装置。
【請求項４】
複数のＰＯＮブランチのうちの１つに各々が属する複数の光回線終端装置のうちのいずれかを送信先とする通信データを、ＰＯＮブランチ群毎に多重して複数系列の多重データを生成する多重化手段と、
前記通信データ毎に前記ＰＯＮブランチに対応する送信波長を指定する波長指定手段と、
前記多重データを構成する通信データの各々を当該指定された送信波長を搬送波として送信する複数の送信手段と、
当該送信された通信データの各々をその送信波長に応じて前記複数のＰＯＮブランチのうちのから選択した１つに送出する選択送出手段と、
前記通信データのトラフィック量に基づいて前記ＰＯＮブランチ群に含まれるＰＯＮブランチの組合せを変更する組合せ変更手段と、を含む収容局装置であって、
前記組合せ変更手段は、
前記ＰＯＮブランチの各々についての要求帯域の平均値を断続的に算出する平均値算出手段と、
前記平均値の変化に基づいて前記ＰＯＮブランチ毎に追加帯域を決定する追加帯域決定手段と、
前記ＰＯＮブランチ毎に前記要求帯域と前記追加帯域とを加算して得られる前記ＰＯＮブランチ毎の確保帯域の加算値が前記送信手段の最大データレートを超えないように前記複数のＰＯＮブランチのうちのいずれかを組み合わせて前記ＰＯＮブランチ群とする組合せ手段と、を含むことを特徴とする収容局装置。
【請求項５】
複数のＰＯＮブランチのうちの１つに各々が属する複数の光回線終端装置から光伝送路を介して到来した通信データをその送信波長に応じて複数の出力ポートのうちから選択した１つに多重して送出する選択送出手段と、
前記出力ポートの１つを介して前記通信データを各々が受信する複数の受信手段と、
前記光回線終端装置の各々の要求帯域に基づいて前記複数のＰＯＮブランチをＰＯＮブランチ群に群分けする群分け手段と、
前記ＰＯＮブランチ群の１つからの前記通信データの各々が前記選択送出手段により前記出力ポートの１つに送出されるように前記光回線終端装置の各々に対して前記送信波長を指定する送信波長指定手段と、を含む収容局装置であって、
前記群分け手段は、
前記光回線終端装置の総要求帯域の平均値を断続的に算出する平均値算出手段と、
前記平均値の変化に基づいて閾値を設定する閾値設定手段と、
前記ＰＯＮブランチの各々についての現在要求帯域の加算値が前記閾値を超えないように前記複数のＰＯＮブランチを組み合わせて前記ＰＯＮブランチ群とする組合せ手段と、を含むことを特徴とする収容局装置。
【請求項６】
前記閾値設定手段は、前記平均値が低下した場合には前記閾値を大きくし、前記平均値が上昇した場合には前記閾値を小さくすることを特徴とする請求項５に記載の収容局装置。
【請求項７】
前記閾値設定手段は、前記平均値の変化量が大きいほど前記閾値の変化量を大きくすることを特徴とする請求項６に記載の収容局装置。
【請求項８】
前記送信波長指定手段は、前記送信波長を拡張ＯＡＭ信号を用いて指定することを特徴とする請求項５に記載の収容局装置。
【請求項９】
複数のＰＯＮブランチのうちの１つに各々が属する複数の光回線終端装置から光伝送路を介して到来した通信データをその送信波長に応じて複数の出力ポートのうちから選択した１つに多重して送出する選択送出手段と、
前記出力ポートの１つを介して前記通信データを各々が受信する複数の受信手段と、
前記光回線終端装置の各々の要求帯域に基づいて前記複数のＰＯＮブランチをＰＯＮブランチ群に群分けする群分け手段と、
前記ＰＯＮブランチ群の１つからの前記通信データの各々が前記選択送出手段により前記出力ポートの１つに送出されるように前記光回線終端装置の各々に対して前記送信波長を指定する送信波長指定手段と、を含む収容局装置であって、
前記群分け手段は、
前記ＰＯＮブランチの各々についての要求帯域の平均値を断続的に算出する平均値算出手段と、
前記平均値の変化に基づいて前記ＰＯＮブランチ毎に追加帯域を決定する追加帯域決定手段と、
前記ＰＯＮブランチ毎に前記要求帯域と前記追加帯域とを加算して得られる前記ＰＯＮブランチ毎の確保帯域の加算値が前記受信手段の最大データレートを超えないように前記複数のＰＯＮブランチのうちのいずれかを組み合わせて前記ＰＯＮブランチ群とする組合せ手段と、を含むことを特徴とする収容局装置。
【発明の詳細な説明】
【技術分野】
【０００１】
本発明は、光波長多重（ＷＤＭ：Wavelength Division Multiplexing）／時分割多重（ＴＤＭ：Time Division Multiplexing）−ＰＯＮ（Passive Optical Network）において光回線終端装置（ＯＮＵ：Optical Network Unit）を収容する収容局装置に関する。
【背景技術】
【０００２】
一般に、ＷＤＭ／ＴＤＭ−ＰＯＮにおいては、ＷＤＭ技術により複数通信エリアのＰＯＮブランチを１つのＰＯＮブランチとみなして、通信エリア全体の帯域割り当てを効率化している。例えば、大きい帯域を必要としているＯＮＵが存在する場合には当該ＯＮＵが属するＰＯＮブランチに対して１波長を占有させて大きい帯域を割り当てる。この割り当ては、ＰＯＮブランチを、収容局装置が備える１つの送信器に収容させることによりなされる。逆に、大きい帯域を必要としていない複数のＰＯＮブランチが存在する場合には、複数のＰＯＮブランチを、収容局装置が備える１つの送信器にまとめて収容させる。このように、要求帯域の小さいＰＯＮブランチをまとめて収容することにより、送信器の動作総数を減らして低消費電力化を実現している（例えば特許文献１及び２）。
【０００３】
このような動作を実現する方法の１つとして、波長可変の送信器とＡＷＧ（Arrayed Wavelength Grating）とを用いた波長ルーティングが考えられる。これらを用いた場合、送信器への波長設定を変更することにより、データのルーティング先を変更することができる。故に、送信器への波長設定をデータ毎に変更することにより、１つの送信器で各ＰＯＮブランチに対してデータを振り分け送信することができる。すなわち、１つの送信器に複数のＰＯＮブランチを収容することができ、低消費電力化が図られる。
【先行技術文献】
【特許文献】
【０００４】
【特許文献１】特開２０１１−８２９０８号公報
【特許文献２】特開２０１１−１３５２８０号公報
【発明の概要】
【発明が解決しようとする課題】
【０００５】
ところで、１つの送信器に収容すべきＰＯＮブランチの組合せを決定する方法としては、ＰＯＮブランチの要求帯域に応じて組合せを決定する方法が考えられる。この場合、送信器の最大データレートを閾値とし、各ＰＯＮブランチの要求帯域を積算したときに当該閾値を超えないようにＰＯＮブランチを組み合せる。
【０００６】
しかしながら、このような方法を採用した場合、要求帯域の積算値が最大データレートに達するまでＰＯＮブランチを組み合わせるので、当該組合せに係る複数のＰＯＮブランチを収容する送信器の帯域余裕が少ない状態又は帯域余裕が全く無い状態が生じ得る。このような状態においては、ＰＯＮブランチの要求帯域の急な増加に対応できずに割当帯域が不足してしまうという問題があった。
【０００７】
本発明は上記した如き問題点に鑑みてなされたものであって、低消費電力化を実現しつつＰＯＮブランチの要求帯域の急な増加に対応することができる収容局装置を提供することを目的とする。
【課題を解決するための手段】
【０００８】
本発明による収容局装置は、複数のＰＯＮブランチのうちの１つに各々が属する複数の光回線終端装置のうちのいずれかを送信先とする通信データを、ＰＯＮブランチ群毎に多重して複数系列の多重データを生成する多重化手段と、前記通信データ毎に前記ＰＯＮブランチに対応する送信波長を指定する波長指定手段と、前記多重データを構成する通信データの各々を当該指定された送信波長を搬送波として送信する複数の送信手段と、当該送信された通信データの各々をその送信波長に応じて前記複数のＰＯＮブランチのうちのから選択した１つに送出する選択送出手段と、前記通信データのトラフィック量に基づいて前記ＰＯＮブランチ群に含まれるＰＯＮブランチの組合せを変更する組合せ変更手段と、を含む収容局装置であって、前記組合せ変更手段は、前記通信データの総トラフィック量の平均値を断続的に算出する平均値算出手段と、前記平均値の変化に基づいて閾値を設定する閾値設定手段と、前記ＰＯＮブランチの各々についての要求帯域の加算値が前記閾値を超えないように前記複数のＰＯＮブランチのうちのいずれかを組み合わせて前記ＰＯＮブランチ群とする組合せ手段と、を含むことを特徴とする。
本発明による収容局装置は、複数のＰＯＮブランチのうちの１つに各々が属する複数の光回線終端装置のうちのいずれかを送信先とする通信データを、ＰＯＮブランチ群毎に多重して複数系列の多重データを生成する多重化手段と、前記通信データ毎に前記ＰＯＮブランチに対応する送信波長を指定する波長指定手段と、前記多重データを構成する通信データの各々を当該指定された送信波長を搬送波として送信する複数の送信手段と、当該送信された通信データの各々をその送信波長に応じて前記複数のＰＯＮブランチのうちのから選択した１つに送出する選択送出手段と、前記通信データのトラフィック量に基づいて前記ＰＯＮブランチ群に含まれるＰＯＮブランチの組合せを変更する組合せ変更手段と、を含む収容局装置であって、前記組合せ変更手段は、前記ＰＯＮブランチの各々についての要求帯域の平均値を断続的に算出する平均値算出手段と、前記平均値の変化に基づいて前記ＰＯＮブランチ毎に追加帯域を決定する追加帯域決定手段と、前記ＰＯＮブランチ毎に前記要求帯域と前記追加帯域とを加算して得られる前記ＰＯＮブランチ毎の確保帯域の加算値が前記送信手段の最大データレートを超えないように前記複数のＰＯＮブランチのうちのいずれかを組み合わせて前記ＰＯＮブランチ群とする組合せ手段と、を含むことを特徴とする。
【０００９】
また、本発明による収容局装置は、複数のＰＯＮブランチのうちの１つに各々が属する複数の光回線終端装置から光伝送路を介して到来した通信データをその送信波長に応じて複数の出力ポートのうちから選択した１つに多重して送出する選択送出手段と、前記出力ポートの１つを介して前記通信データを各々が受信する複数の受信手段と、前記光回線終端装置の各々の要求帯域に基づいて前記複数のＰＯＮブランチをＰＯＮブランチ群に群分けする群分け手段と、前記ＰＯＮブランチ群の１つからの前記通信データの各々が前記選択送出手段により前記出力ポートの１つに送出されるように前記光回線終端装置の各々に対して前記送信波長を指定する送信波長指定手段と、を含む収容局装置であって、前記群分け手段は、前記光回線終端装置の総要求帯域の平均値を断続的に算出する平均値算出手段と、前記平均値の変化に基づいて閾値を設定する閾値設定手段と、前記ＰＯＮブランチの各々についての現在要求帯域の加算値が前記閾値を超えないように前記複数のＰＯＮブランチを組み合わせて前記ＰＯＮブランチ群とする組合せ手段と、を含むことを特徴とする。
更に、本発明による収容局装置は、複数のＰＯＮブランチのうちの１つに各々が属する複数の光回線終端装置から光伝送路を介して到来した通信データをその送信波長に応じて複数の出力ポートのうちから選択した１つに多重して送出する選択送出手段と、前記出力ポートの１つを介して前記通信データを各々が受信する複数の受信手段と、前記光回線終端装置の各々の要求帯域に基づいて前記複数のＰＯＮブランチをＰＯＮブランチ群に群分けする群分け手段と、前記ＰＯＮブランチ群の１つからの前記通信データの各々が前記選択送出手段により前記出力ポートの１つに送出されるように前記光回線終端装置の各々に対して前記送信波長を指定する送信波長指定手段と、を含む収容局装置であって、前記群分け手段は、前記ＰＯＮブランチの各々についての要求帯域の平均値を断続的に算出する平均値算出手段と、前記平均値の変化に基づいて前記ＰＯＮブランチ毎に追加帯域を決定する追加帯域決定手段と、前記ＰＯＮブランチ毎に前記要求帯域と前記追加帯域とを加算して得られる前記ＰＯＮブランチ毎の確保帯域の加算値が前記受信手段の最大データレートを超えないように前記複数のＰＯＮブランチのうちのいずれかを組み合わせて前記ＰＯＮブランチ群とする組合せ手段と、を含むことを特徴とする。
【発明の効果】
【００１０】
本発明による収容局装置によれば、低消費電力化を実現しつつＰＯＮブランチの要求帯域の急な増加に対応することができる。
【図面の簡単な説明】
【００１１】
【図１】本発明の収容局装置の構成をＯＮＵと共に示すブロック図である。
【図２】第１の実施例の管理部の構成を示すブロック図である。
【図３】閾値更新部が保持する帯域閾値テーブルの一例である。
【図４】更新される設定閾値を要求帯域及びその平均値と共に示すグラフである。
【図５】各送信部に対するＰＯＮブランチの組合せの一例を示す図である。
【図６】ＯＮＵの構成を通信端末と共に示すブロック図である。
【図７】下り通信時における管理部によるＰＯＮブランチ組合せ変更処理ルーチンを示すフローチャートである。
【図８】下り通信時におけるＡＷＧの波長ルーティングの様子を示す図である。
【図９】要求帯域、設定閾値、従来技術による割当帯域、及び本発明による割当帯域の変化を示すグラフである。
【図１０】上り通信時におけるＡＷＧの波長ルーティングの様子を示す図である。
【図１１】第２の実施例の管理部の構成を示すブロック図である。
【図１２】送信部におけるＰＯＮブランチの組合せと帯域余裕及び最大ラインレートとの関係を示す図である。
【図１３】入力ポートと出力ポートについての波長対応テーブルの一例を示す図である。
【図１４】上り通信時における管理部によるＰＯＮブランチ組合せ変更処理ルーチンを示すフローチャートである。
【図１５】変形例の管理部の構成を示すブロック図である。
【図１６】変形例におけるブランチスロープ値と追加帯域との関係を示す図である。
【図１７】追加帯域決定部が保持する追加帯域テーブルの一例である。
【図１８】変形例における１つの送信部に対するＰＯＮブランチの組合せの一例を示す図である。
【図１９】変形例における下り通信時のＰＯＮブランチ組合せ変更処理ルーチンを示すフローチャートである。
【図２０】変形例における上り通信時のＰＯＮブランチ組合せ変更処理ルーチンを示すフローチャートである。
【発明を実施するための形態】
【００１２】
以下、本発明に係る実施例について添付の図面を参照しつつ詳細に説明する。
＜第１の実施例＞
図１には、本発明の実施例である収容局装置１０の構成が示されている。収容局装置１０は、波長分割多重（ＷＤＭ）技術と時分割多重（ＴＤＭ）技術とを併用するＰＯＮシステムにおいて通信事業者側の光回線終端装置（ＯＬＴ：Optical Line Terminal）として動作し、光ファイバ等の光伝送路３０−１〜３０−Ｍ（Ｍは２以上の整数）を介して加入者側の光ネットワークユニットであるＯＮＵ群４０−１〜４０−Ｍを収容している。ＯＮＵ群４０−１〜４０−ＭはそれぞれＰＯＮブランチＢ−１〜Ｂ−Ｍに属している。上位ネットワークである通信網２０からＯＮＵ群４０−１〜４０−Ｍへの通信方向を「下り」と称し、その逆方向を「上り」と称する。
【００１３】
以下、下り方向通信時の実施例について説明する。
【００１４】
Ｌ２スイッチ１１は、上位ネットワークである通信網２０から到来したデータ（以下、下りデータと称する）を受信してＯＮＵ毎のデータに分離する。なお、本実施の形態に係る通信網２０の代わりにデータを生成するサーバ等の装置がＬ２スイッチ１１と接続してもよい。
【００１５】
バッファ１２ａ−１〜１２ａ−Ｎ（Ｎは２以上の整数）は、当該分離されたデータをＯＮＵ毎に蓄積する。
【００１６】
管理部１３は、Ｌ２スイッチ１１又はバッファ１２ａ−１〜１２ａ−Ｎを監視し、ＯＮＵ毎のトラフィック量からＰＯＮブランチＢ−１〜Ｂ−Ｍ毎の要求帯域を算出する。そして、管理部１３は、当該要求帯域に基づいてＰＯＮブランチＢ−１〜Ｂ−Ｍを複数のＰＯＮブランチ群に群分けする。管理部１３は、ＰＯＮブランチ群に含まれるＰＯＮブランチの組合せを周期的又は断続的に変更する（組合せ変更手段）。管理部１３は、ＰＯＮＭＡＣ１４にその組合せを通知する。以下、当該通知を組合せ通知と称する。また、管理部１３は、後述するＰＯＮＭＡＣ１４からのタイムスロット構成通知に基づいて、各タイムスロットに割り当てられたデータについての送信波長指定を送信部１５ａ−１〜１５ａ−Ｎの各々に対して行う（波長指定手段）。
【００１７】
ＰＯＮＭＡＣ１４は、バッファ１２ａ−１〜１２ａ−Ｎに蓄積されている下りデータを、管理部１３からの組合せ通知が示すＰＯＮブランチ群毎に時分割多重して複数系列の時分割多重データを生成する（多重化手段）。また、ＰＯＮＭＡＣ１４は、下りデータが時分割多重されたタイムスロットの構成を示す情報の通知（タイムスロット構成通知）を管理部１３に与える
送信部１５ａ−１〜１５ａ−Ｎは、時分割多重された下りデータを、当該下りデータ毎に指定された送信波長を搬送波として送信する。送信波長の指定は管理部１３によってなされる。送信部１５ａ−１〜１５ａ−Ｎは、例えばレーザーダイオードからなる。
【００１８】
ＷＤＭ１５ｃ−１〜１５ｃ−Ｎは、送信部１５ａ−１〜１５ａ−Ｎによって送信されたデータの戻り光が受信部１５ｂ−１〜１５ｂ−Ｎに影響することを防止する為に、光伝送路３０−１〜３０−Ｍを介して到来した上りデータについて波長選択を行なう。
【００１９】
ＡＷＧ１６は、当該送信された下りデータの各々を、その送信波長に応じて光伝送路３０−１〜３０−Ｍのうちのから選択した１つを方路として送出する（選択送出手段）。
【００２０】
図２には、管理部１３の構成が示されている。
【００２１】
要求帯域算出部１３ａは、Ｌ２スイッチ１１におけるＯＮＵ毎の通過トラフィック量、又は、バッファ１２ａ−１〜１２ａ−Ｎに蓄積されたＯＮＵ毎のトラフィック量を監視し、ＯＮＵ毎の要求帯域（以下、ＯＮＵ要求帯域と称する）を周期的又は断続的に算出する。更に、要求帯域算出部１３ａは、全てのＯＮＵについてのＯＮＵ要求帯域を加算して総要求帯域を算出する。
【００２２】
ＯＮＵ要求帯域をtraffic(t,n)とすると（ｔは最小時間単位、ｎはＯＮＵの総数）、総要求帯域all_traffic(t)は以下の式により算出される。
【００２３】
【数１】
0005874447.tif 000002
【００２４】
また、要求帯域算出部１３ａは、ＯＮＵ要求帯域からＰＯＮブランチＢ−１〜Ｂ−Ｍの各々についての要求帯域（以下、ブランチ要求帯域と称する）を算出する。ある１つのＰＯＮブランチについてのブランチ要求帯域は、当該１つのＰＯＮブランチに属するＯＮＵの各々のＯＮＵ要求帯域を加算することにより得られる。
【００２５】
記憶部１３ｂは、要求帯域算出部１３ａによって周期的又は断続的に算出された総要求帯域を記憶する。また、記憶部１３ｂは、後述の閾値更新部１３ｃによって算出された平均要求帯域についても記憶する。
【００２６】
閾値更新部１３ｃは、更新時刻が到来する毎に設定閾値を更新する。更新時刻は一定の更新間隔毎に到来する。詳細には、閾値更新部１３ｃは、先ず、更新時刻が到来したときに、記憶部１３ｂに記憶されている総要求帯域を用いて、更新間隔内（前回の更新時刻から現在の更新時刻までの間）に含まれる総要求帯域の平均値（以下、平均要求帯域と称する）を算出する。算出された平均要求帯域は、記憶部１３ｂに記憶される。
【００２７】
更新間隔をＴとすると、平均要求帯域ave_traffic(T)は以下の式により算出される。
【００２８】
【数２】
0005874447.tif 000003
【００２９】
次に、閾値更新部１３ｃは、スロープ値を算出する。詳細には、閾値更新部１３ｃは、現在の平均要求帯域が直前の平均要求帯域と比較して、大きい場合にはプラス、小さい場合にはマイナス、同一である場合には０の符号とする。また、閾値更新部１３ｃは、現在の平均要求帯域に対する、直前の平均要求帯域からの変化量（以下、帯域変化量と称する）を求める。
【００３０】
送信部１５ａ−１〜１５ａ−Ｎの各々のラインレートをＲＬ、ＰＯＮブランチの総数をＭmaxとすると、スロープ値slop(T)は以下の式により算出される。
【００３１】
【数３】
0005874447.tif 000004
【００３２】
例えば、ＲＬ＝１０Ｇｂｐｓ、Ｍｍａｘ＝８、且つ、現在の平均要求帯域が直前の平均要求帯域よりも１０Ｇｂｐｓだけ大きい場合には、スロープ値は０．１２５となる。
【００３３】
次に、閾値更新部１３ｃは、スロープ値に基づいて設定閾値を増減する。詳細には、閾値更新部１３ｃは、スロープ値がプラスである場合には設定閾値を小さくし、スロープ値がマイナスである場合には設定閾値を大きくし、スロープ値が０である場合には設定閾値を変化させない。この際、閾値更新部１３ｃは、帯域変化量が大きいほど設定閾値の変化量を大きくする。例えば、スロープ値が＋０．１２５である場合に設定閾値を１Ｇｂｐｓだけ減少させ、スロープ値が＋０．５Ｇｂｐｓである場合に設定閾値を５Ｇｂｐｓだけ減少させる。
【００３４】
閾値更新部１３ｃは、例えば図３に示される帯域閾値テーブルを保持している。帯域閾値テーブルにおいては、スロープ値と閾値増減量とが対応付けられている。閾値更新部１３ｃは、この対応関係に基づいて設定閾値の増減量を決定する。例えば、スロープ値が＋０．２５０Ｇｂｐｓである場合には設定閾値を３Ｇｂｐｓだけ減少させる。また、スロープ値が−０．２５０Ｇｂｐｓである場合には設定閾値を３Ｇｂｐｓだけ増加させる。
【００３５】
図４には、閾値更新部１３ｃによって更新される設定閾値が、総要求帯域及び平均要求帯域と共に示されている。更新間隔ｐ２の設定閾値は、更新間隔ｐ１の設定閾値よりも小さくなっている。これは、更新間隔ｐ１の平均要求帯域が更新間隔ｐ０の平均要求帯域よりも大きくなっていることに対応させて閾値更新部１３ｃが設定閾値を小さくしたからである。また、更新間隔ｐ３の設定閾値は、更新間隔ｐ２の設定閾値よりも大きくなっている。これは、更新間隔ｐ２の平均要求帯域が更新間隔ｐ１の平均要求帯域よりも小さくなっていることに対応させて閾値更新部１３ｃが設定閾値を大きくしたからである。
【００３６】
更新間隔ｐ２の設定閾値から更新間隔ｐ３の設定閾値への変動量は、更新間隔ｐ１の設定閾値から更新間隔ｐ２の設定閾値への変動量に比較して小さい。これは、更新間隔ｐ１の平均要求帯域から更新間隔ｐ２の平均要求帯域への変化量が、更新間隔ｐ０の平均要求帯域から更新間隔ｐ１の平均要求帯域への変化量よりも小さいからである。設定閾値は、更新間隔ｐ３以降についても同様に更新される。
【００３７】
組合せ変更部１３ｄは、設定閾値の更新後、ブランチ要求帯域の合計が設定閾値を超えないようにＰＯＮブランチの組合せを決定する。
【００３８】
図５には、送信部１５ａ−１〜１５ａ−５に対するＰＯＮブランチの組合せの一例が示されている。図５の例においては、ＰＯＮブランチＢ１が１つのＰＯＮブランチ群として送信部１５ａ−１に割り当てられ、ＰＯＮブランチＢ２とＢ５とが１つのＰＯＮブランチ群として組み合わされて送信部１５ａ−２に割り当てられ、ＰＯＮブランチＢ３と４とが１つのＰＯＮブランチ群として組み合わされて送信部１５ａ−３は割り当てられている。例えば送信部１５ａ−２に関しては、ＰＯＮブランチＢ２のブランチ要求帯域とＰＯＮブランチＢ５のブランチ要求帯域との合計値は設定閾値以下であり、最大ラインレートに対して帯域余裕がある。送信部１５ａ−１及び１５ａ−３に関しても同様に最大ラインレートに対して帯域余裕がある。それ故、組合せ決定後に各ブランチ要求帯域が増加した場合であっても帯域不足になり難くなる。なお、設定閾値は、最大ラインレートよりも小さい値に設定される。ＰＯＮブランチが割り当てられない送信部１５ａ−４及び１５ａ−５はスリープ状態とすることができる。組合せ変更部１３ｄは、当該組合せを示す組合せ通知をＰＯＮＭＡＣ１４に与える。
【００３９】
送信波長指定部１３ｅは、ＰＯＮＭＡＣ１４から各タイムスロットへのデータ割り当ての構成についての通知（以下、タイムスロット構成通知と称する）に応じて、タイムスロット毎（データ毎）の送信波長指定を送信部１５ａ−１〜１５ａ−Ｎに対して行なう。
【００４０】
図６には、ＯＮＵ群４０−１に含まれるＯＮＵ４０−１−１の構成が通信端末６０と共に示されている。
【００４１】
ＷＤＭ５１は、光伝送路３０−１を介して到来した下りデータを受信部５２ｂに供給する。この際、ＷＤＭ５１は、送信部５２ａによって送信されたデータの戻り光が受信部５２ｂに影響することを防止する為に、光伝送路３０−１を介して到来した下りデータについて波長選択を行なう。
【００４２】
受信部５２ｂは、波長選択後の下りデータを受信して、当該データを光電変換する。受信部５２ｂは、例えばフォトダイオードからなる。
【００４３】
ＰＯＮＭＡＣ５３は、光電変換されたデータからの指示情報の読み取りや、当該下りデータについてＥＰＯＮシステムのフレームフォーマットからＥｔｈｅｒｎｅｔ（登録商標）のフレームフォーマットに変換する等の所定のデータ処理を施す。
【００４４】
バッファ５４ｂは、データ処理後のデータを一時的に蓄積する。
【００４５】
ＥｔｈｅｒＭＡＣ５５は、バッファ５４ｂに蓄積されているデータを通信端末６０に送信する。
【００４６】
なお、送信部５２ａ及びバッファ５４ａ等の上り方向に関連する構成については、第２の実施例において説明する。
【００４７】
ＯＮＵ４０−１−２〜４０−１−Ｒの各々も、ＯＮＵ４０−１−１と同様の構成である。また、ＯＮＵ群４０−２〜４０−Ｍの各々も、ＯＮＵ群４０−１と同様の構成である。
【００４８】
以下、図７を参照しつつ、下り通信時における管理部１３によるＰＯＮブランチ組合せ変更処理について説明する。収容局装置１０は、ＥＰＯＮにおける通常の通信確立処理に従って、ＯＮＵ群４０−１〜４０−Ｍとの間で通信を開始する。
【００４９】
通信開始後、要求帯域算出部１３ａは、Ｌ２スイッチ１１におけるＯＮＵ毎の下り通信についての通過トラフィック量、又は、バッファ１２ａ−１〜１２ａ−Ｎに蓄積されたＯＮＵ毎の下り通信についてのトラフィック量の監視を開始する。そして、要求帯域算出部１３ａは、周期的又は断続的に、全てのＯＮＵについての要求帯域（ＯＮＵ要求帯域）を加算して総要求帯域を算出する（ステップＳ１１）。総要求帯域は記憶部１３ｂに記憶される。
【００５０】
閾値更新部１３ｃは、更新時刻が到来する度に設定閾値を更新する（ステップＳ１２）。
【００５１】
先ず、閾値更新部１３ｃは、記憶部１３ｂに記憶されている総要求帯域を用いて、前回の更新時刻から現在の更新時刻までの間に含まれる総要求帯域の平均値（平均要求帯域）を算出する（ステップＳ１３）。
【００５２】
次に、閾値更新部１３ｃは、スロープ値を算出する（ステップＳ１４）。この際、閾値更新部１３ｃは、現在の平均要求帯域と直前の平均要求帯域の大きさの比較、及び、直前の平均要求帯域からの変化量に基づいてスロープ値を算出する。閾値更新部１３ｃによって算出されるスロープ値は、例えば＋０．１２５である。
【００５３】
次に、閾値更新部１３ｃは、スロープ値に基づいて設定閾値を更新する（ステップＳ１５）。例えば、スロープ値が＋０．１２５であり且つ閾値更新部１３ｃが図３に示される帯域閾値テーブルを保持している場合、閾値更新部１３ｃは、設定閾値を１Ｇｂｐｓ減少させる。
【００５４】
閾値更新部１３ｃによる設定閾値の更新後、組合せ変更部１３ｄは、ＰＯＮブランチの組合せを決定する。（ステップＳ１６）。この際、組合せ変更部１３ｄは、各ＰＯＮブランチについての要求帯域（ブランチ要求帯域）の合計が設定閾値を超えないように組合せを決定する。なお、ブランチ要求帯域は、１つのＰＯＮブランチに属するＯＮＵの各々のＯＮＵ要求帯域を加算することにより得られる。
【００５５】
組合せ変更部１３ｄは、例えば図５に示されるように、ＰＯＮブランチＢ１を１つのＰＯＮブランチ群として送信部１５ａ−１に割り当て、ＰＯＮブランチＢ２とＢ５とを１つのＰＯＮブランチ群として組み合わせて送信部１５ａ−２に割り当て、ＰＯＮブランチＢ３と４とを１つのＰＯＮブランチ群として組み合わせて送信部１５ａ−３は割り当てる。
【００５６】
次に、組合せ変更部１３ｄは、当該組合せを示す組合せ通知をＰＯＮＭＡＣ１４に対して与える（ステップＳ１７）。ＰＯＮＭＡＣ１４は、組合せ通知により示される組合せに従って各ＯＮＵについてのデータをタイムスロットに収容し、送信部１５ａ−１〜１５ａ−Ｎに供給する。ＰＯＮＭＡＣ１４は、各データが割り当てられたタイムスロットの構成を示す情報の通知（タイムスロット構成通知）を送信波長指定部１３ｅに与える。
【００５７】
送信波長指定部１３ｅは、タイムスロット構成通知に基づいて、各タイムスロットに割り当てられたデータについての送信波長指定を送信部１５ａ−１〜１５ａ−Ｎに与える（ステップＳ１８）。送信部１５ａ−１〜１５ａ−Ｎは、各データを当該送信波長指定により指定される送信波長を搬送波として送信する。ＡＷＧ１６は、各データの波長に応じて当該データを光伝送路３０−１〜３０−Ｍのいずれかに振り分ける。
【００５８】
また、組合せ変更部１３ｄは、組合せの結果、送信部１５ａ−１〜１５ａ−ＮのうちのＰＯＮブランチが割り当てられないものをスリープ状態とする（ステップＳ１８）。
【００５９】
図８には、下り通信時におけるＡＷＧ１６の波長ルーティングの様子が示されている。送信部１５ａ−１が、波長λ１のデータ７１、波長λ２のデータ７２、波長λ３のデータ７３が時系列的にタイムスロットに割り当てられたデータ群７０を送信した場合の例が示されている。ＡＷＧ１６は、波長λ１のデータ７１を光伝送路３０−１に送信し、波長λ２のデータ７２を光伝送路３０−２に送信し、波長λ３のデータ７３を光伝送路３０−３に送信する。データ７１はＰＯＮブランチＢ１に属するＯＮＵ群４０−１によって受信され、データ７２はＰＯＮブランチＢ２に属するＯＮＵ群４０−２によって受信され、データ７３はＰＯＮブランチＢ３に属するＯＮＵ群４０−３によって受信される。なお、図８は、３つの波長の場合の例であるが、ＡＷＧ１６は、４以上の波長の場合にも同様に、波長に応じてデータの送信先を決定する。
【００６０】
図９には、要求帯域、設定閾値、従来技術による割当帯域、及び本発明による割当帯域のシミュレーション結果が示されている。送信部１５ａ−１〜１５ａ−８の各々のデータレートを１０Ｇｂｐｓ、ＰＯＮブランチ数（送信部の数）を８個、設定閾値の最大値を１０Ｇｂｐｓ、最小値を７Ｇｂｐｓ、組合せの更新間隔を５０time[a.u.]としたときのシミュレーション結果である。
【００６１】
横軸は時間を示し、第１縦軸は総要求帯域及び割当帯域を示し、第２縦軸は設定閾値を示す。総要求帯域は全てのＰＯＮブランチについての要求帯域の合計値である。各ＰＯＮブランチの要求帯域は等しく単純増加とした。
【００６２】
割当帯域は、送信部１５ａ−１〜１５ａ−８のうちの動作中の（すなわちスリープ状態のものを除いた）送信部の数とデータレートとの乗算値である。上記条件の場合、割当帯域の最大値は８０Ｇｂｐｓとなる。割当帯域が４０Ｇｂｐｓの場合、ＰＯＮブランチを４グループに分けて４台の送信部が動作していることになる。
【００６３】
図９に示されるように、本発明による割当帯域は、総要求帯域の増加に伴って１０Ｇｂｐｓから７Ｇｂｐｓに段階的に減少している。割当帯域は、総要求帯域の変動量に応じて変動している。例えば、総要求帯域の急峻な増加に応じて割当帯域の減少量も比較的大きくなっている。割当帯域は段階的に増加し、最終的には８０Ｇｂｐｓとなっている。これは、設定閾値を低下させ、１つの送信器に対するＰＯＮブランチの組合せ数を制限していることを示している。組合せ数の制限により、帯域余裕が確保される。
【００６４】
比較対象である「従来方式による割当帯域」は、設定閾値を１０Ｇｂｐｓの固定値とした場合の結果である。１０Ｇｂｐｓは送信部の最大データレートである。従来方式の場合、割当帯域が総要求帯域を下回る箇所（符号Ｅ１、Ｅ２及びＥ３）が複数ある。これは、総要求帯域の急峻な増加に対応できず、帯域不足となっていることを示している。
【００６５】
上記条件の場合、計算上、従来方式のときの帯域不足の合計は５６８Ｇｂｐｓとなるのに対して、本発明によれば帯域不足の合計は７７Ｇｂｐｓにまで減少する。
【００６６】
上記したように、本実施例の収容局装置１０においては、下り通信の総要求帯域に応じて設定閾値を増減させる。設定閾値は、送信部の最大ラインレートよりも小さい値に設定される。そして、ＰＯＮブランチの要求帯域の合計が設定閾値を超えないように、送信部毎にＰＯＮブランチの組合せを決定する。かかる動作により、各送信部におけるブランチ要求帯域の合計値は設定閾値以下となり、各送信部は最大データレートに対して帯域余裕を有する。それ故、ＰＯＮブランチの組合せ決定後から次の組合せ更新時刻が到来するまでの間にブランチ要求帯域が増加した場合であっても、帯域不足になり難いという効果を奏する。
【００６７】
このように、本実施例の収容局装置１０においては、総帯域要求が増加した場合には設定閾値を小さくし、１つの送信部に対して割り当てられるＰＯＮブランチの数を制限することにより、帯域余裕を確保する。一方、総帯域要求が減少した場合には設定閾値を大きくし、１つの送信部に対して割り当てられるＰＯＮブランチの数を増やすことにより、ＰＯＮブランチが割り当てられる送信部の数を減らして（すなわちスリープ状態とすることができる送信部の数を増やして）、消費電力を低減できる。
＜第２の実施例＞
以下、上り方向通信時の実施例について説明する。
【００６８】
ＯＮＵ群４０−１の構成は、第１の実施例と同様に図６に示される。
【００６９】
ＥｔｈｅｒＭＡＣ５５は、通信端末６０からの入力データをバッファ５４ａに供給する。
【００７０】
バッファ５４ａは、ＥｔｈｅｒＭＡＣ５５から供給されたデータを一時的に蓄積する。
【００７１】
ＰＯＮＭＡＣ５３は、バッファ５４ａに蓄積されているデータについてＥｔｈｅｒｎｅｔのフレームフォーマットからＥＰＯＮシステムのフレームフォーマットに変換する等の所定のデータ処理を施す。また、ＰＯＮＭＡＣ５３は、バッファ５４ａの現在蓄積量（以下、バッファ蓄積量と称する）を周期的又は断続的に把握し、そのバッファ蓄積量を例えばＥＰＯＮシステムにおいて一般に用いられるレポート信号に含めて、光伝送路３０−１を介して収容局装置１０に送信する。
【００７２】
送信部５２ａは、ＰＯＮＭＡＣ５３によるデータ処理後のデータを光伝送路３０−１を介して送信する。この際、送信部５２ａは、収容局装置１０から指定された送信波長を搬送波としてデータ送信する。送信部５２ａは、例えばレーザーダイオードからなる。
【００７３】
ＷＤＭ５１は、送信部５２ａによって送信されたデータの戻り光が受信部５２ｂに影響することを防止する為に、光伝送路３０−１を介して到来するデータについて波長選択を行なう。
【００７４】
ＯＮＵ４０−１−２〜４０−１−Ｒの各々も、ＯＮＵ４０−１−１と同様の構成である。また、ＯＮＵ群４０−２〜４０−Ｍの各々も、ＯＮＵ群４０−１と同様の構成である。
【００７５】
収容局装置１０の全体構成は第１の実施例と同様に図１に示される。
【００７６】
ＡＷＧ１６は、複数の入力ポートと、波長によって当該入力ポートと対応付けられる複数の出力ポートとを有する。ＡＷＧ１６は、光伝送路３０−１〜３０−Ｍを介して到来した上りデータを入力ポートから受け入れ、ＡＷＧフィルタ機能により、当該上りデータの送信波長に応じて複数の出力ポートのうちから選択した１つの出力ポートに出力する。（選択送出手段）。かかる動作により、ＰＯＮブランチ群毎に時分割多重された複数系列の時分割多重データがＡＷＧ１６から出力される。
【００７７】
図１０には、上り通信時におけるＡＷＧ１６の波長ルーティングの様子が示されている。光伝送路３０−１を介して波長λ１のデータ８１が到来し、光伝送路３０−２を介して波長λ２のデータ８２が到来し、光伝送路３０−３を介して波長λ３のデータ８３が到来した場合の例が示されている。図１０の例においては、ＰＯＮブランチＢ１、Ｂ２及びＢ３が１つのＰＯＮブランチ群を構成する。入力ポートＰＩ１、ＰＩ２及びＰＩ３に入力されたデータ８１、８２及び８３は、時分割多重されて１つの出力ポートＰＯ１に送出されている。また、他のＰＯＮブランチ群についての時分割多重データ（図示せず）もＡＷＧ１６から出力される。図１０は、３つの波長の場合の例であるが、ＡＷＧ１６は、４以上の波長の場合にも同様に、上りデータの送信波長に応じて当該上りデータの送出先となる出力ポート（例えばＰＯ１〜ＰＯ３のいずれか）を決定する。
【００７８】
ＷＤＭ１５ｃ−１〜１５ｃ−Ｎは、光伝送路３０−１〜３０−Ｍを介して到来した上りデータを受信部１５ｂ−１〜１５ｂ−Ｎに供給する。この際、ＷＤＭ１５ｃ−１〜１５ｃ−Ｎは、送信部１５ａ−１〜１５ａ−Ｎによって送信されたデータの戻り光が受信部１５ｂ−１〜１５ｂ−Ｎに影響することを防止する為に、光伝送路３０−１〜３０−Ｍを介して到来した下りデータについて波長選択を行なう。
【００７９】
受信部１５ｂ−１〜１５ｂ−Ｎの各々は、出力ポートの１つを介してＰＯＮブランチ群毎の時分割多重データの１つを受信し、これをＰＯＮＭＡＣ１４に与える。受信部１５ｂ−１〜１５ｂ−Ｎは、例えばフォトダイオードからなる。
【００８０】
管理部１３は、光伝送路３０−１〜３０−Ｍを介して到来したレポート信号に含まれるＯＮＵ毎のバッファ蓄積量を要求帯域として、ＰＯＮブランチＢ−１〜Ｂ−Ｍ毎の要求帯域を算出する。そして、管理部１３は、当該要求帯域に基づいてＰＯＮブランチＢ−１〜Ｂ−Ｍを複数のＰＯＮブランチ群に群分けする。管理部１３は、ＰＯＮブランチ群に含まれるＰＯＮブランチの組合せを周期的又は断続的に変更する（組合せ変更手段）。管理部１３は、ＰＯＮＭＡＣ１４にその組合せを通知する。
【００８１】
また、管理部１３は、当該組合せに基づく送信波長指定をＯＮＵ群４０−１〜４０−Ｍの各々に対して行う。詳細には、ある１つのＰＯＮブランチ群に属するＯＮＵからの上りデータの各々がＡＷＧ１６の出力ポートの１つに送出されるように当該ＯＮＵの各々に対して送信波長を指定する（送信波長指定手段）。送信波長指定は、例えば一般のＥＰＯＮシステムにおいて使用される拡張ＯＡＭ信号を用いて行なうことができる。
【００８２】
ＰＯＮＭＡＣ１４は、管理部１３からの組合せ通知の内容に基づいて、受信部１５ｂ−１〜１５ｂ−Ｎからのデータ群８０を構成するデータを送信元ＯＮＵ毎に分離する。
【００８３】
バッファ１２ｂ−１〜１２ｂ−Ｎは、当該分離されたデータを送信元ＯＮＵ毎に蓄積する。
【００８４】
Ｌ２スイッチ１１は、バッファ１２ｂ−１〜１２ｂ−Ｎに蓄積されているデータを多重化して通信網２０に送出する。
【００８５】
図１１には、本実施例の管理部１３の構成が示されている。
【００８６】
要求帯域算出部１３ａは、上り信号の総要求帯域を算出する。上り信号の総要求帯域は、例えばＯＮＵ群４０−１〜４０−Ｍ（図１）からのレポート信号を利用して算出できる。要求帯域算出部１３ａは、レポート信号に含まれるバッファ蓄積量を要求帯域とし、レポート信号を受信する度にＯＮＵ毎の要求帯域（ＯＮＵ要求帯域）を算出する。更に、要求帯域算出部１３ａは、全てのＯＮＵについてのＯＮＵ要求帯域を加算して総要求帯域を算出する。総要求帯域は第１の実施例と同様に式１により算出される。
【００８７】
また、要求帯域算出部１３ａは、ＯＮＵ要求帯域からＰＯＮブランチＢ−１〜Ｂ−Ｍの各々についての要求帯域（ブランチ要求帯域）を算出する。ある１つのＰＯＮブランチについてのブランチ要求帯域は、当該１つのＰＯＮブランチに属するＯＮＵの各々のＯＮＵ要求帯域を加算することにより得られる。
【００８８】
記憶部１３ｂは、要求帯域算出部１３ａによって周期的又は断続的に算出された総要求帯域を記憶する。また、記憶部１３ｂは、後述の閾値更新部１３ｃによって算出された平均要求帯域についても記憶する。
【００８９】
閾値更新部１３ｃは、更新時刻が到来する度に設定閾値を更新する。更新時刻は一定の更新間隔毎に到来する。詳細には、閾値更新部１３ｃは、先ず、更新時刻が到来したときに、記憶部１３ｂに記憶されている総要求帯域を用いて、更新間隔内（前回の更新時刻から現在の更新時刻までの間）に含まれる総要求帯域の平均値（以下、平均要求帯域と称する）を算出する。算出された平均要求帯域は、記憶部１３ｂに記憶される。平均要求帯域は式２によって算出される。
【００９０】
次に、閾値更新部１３ｃは、スロープ値を算出する。詳細には、閾値更新部１３ｃは、現在の平均要求帯域が直前の平均要求帯域と比較して、大きい場合にはプラス、小さい場合にはマイナス、同一である場合には０の符号とする。また、閾値更新部１３ｃは、現在の平均要求帯域に対する、直前の平均要求帯域からの変化量（以下、帯域変化量と称する）を求める。スロープ値は第１の実施例と同様に式３によって算出される。
【００９１】
次に、閾値更新部１３ｃは、スロープ値に基づいて設定閾値を増減する。詳細には、閾値更新部１３ｃは、スロープ値がプラスである場合には設定閾値を小さくし、スロープ値がマイナスである場合には設定閾値を大きくし、スロープ値が０である場合には設定閾値を変化させない。この際、閾値更新部１３ｃは、帯域変化量が大きいほど設定閾値の変化量を大きくする。閾値更新部１３ｃは、例えば図３に示される帯域閾値テーブルを保持し、当該テーブルにおけるスロープ値と閾値増減量との対応に基づいて設定閾値の増減量を決定する。設定閾値の変動は、第１の実施例と同様に図４に示される。
【００９２】
組合せ変更部１３ｄは、設定閾値の更新後、ブランチ要求帯域の合計が設定閾値を超えないようにＰＯＮブランチの組合せを決定する。
【００９３】
図１２には、受信部１５ｂ−１〜１５ｂ−５に対するＰＯＮブランチの組合せの一例が示されている。図１２の例においては、ＰＯＮブランチＢ１が１つのＰＯＮブランチ群として受信部１５ｂ−１に割り当てられ、ＰＯＮブランチＢ２とＢ５とが１つのＰＯＮブランチ群として組み合わされて受信部１５ｂ−２に割り当てられ、ＰＯＮブランチＢ３と４とが１つのＰＯＮブランチ群として組み合わされて受信部１５ｂ−３は割り当てられている。例えば受信部１５ｂ−２に関しては、ＰＯＮブランチＢ２のブランチ要求帯域とＰＯＮブランチＢ５のブランチ要求帯域との合計値は設定閾値以下であり、最大ラインレートに対して帯域余裕がある。受信部１５ｂ−１及び１５ｂ−３に関しても同様に最大ラインレートに対して帯域余裕がある。それ故、組合せ決定後に各ブランチ要求帯域が増加した場合であっても帯域不足になり難くなる。なお、設定閾値は、最大ラインレートよりも小さい値に設定される。ＰＯＮブランチが割り当てられない受信部１５ｂ−４及び１５ｂ−５はスリープ状態とすることができる。
【００９４】
送信波長指定部１３ｅは、組合せ変更部１３ｄからの組合せ通知に基づいて、ＯＮＵ群４０−１〜４０−Ｍの各々についての送信波長を決定し、これらに対して当該送信波長の指定を行なう。詳細には、送信波長指定部１３ｅは、組合せ変更部１３ｄによって１つの受信部に割り当てられたＰＯＮブランチに属する１つのＯＮＵ群に対して、当該受信部に対応する波長の１つを送信波長として指定する。送信波長指定は、例えば一般のＥＰＯＮシステムにおいて使用される拡張ＯＡＭ信号を用いて行なうことができる。
【００９５】
組合せ変更部１３ｄにより、例えば図１２に示されるように、受信部１５ｂ−１にＰＯＮブランチＢ１が割り当てられ、受信部１５ｂ−２にＰＯＮブランチＢ２及びＢ５が割り当てられ、受信部１５ｂ−３にＰＯＮブランチＢ３及びＢ４が割り当てられたとする。また、組合せ変更部１３ｄが、例えば図１３に示される入力ポートと出力ポートについての波長対応テーブルを有しているとする。この場合、送信波長指定部１３ｅは、ＰＯＮブランチＢ１に属するＯＮＵ群４０−１に対して送信波長λ１を指定する。また、送信波長指定部１３ｅは、ＰＯＮブランチＢ２に属するＯＮＵ群４０−２に対して例えば送信波長λ３を指定すると共に、ＰＯＮブランチＢ５に属するＯＮＵ群４０−５に対して送信波長λ１を指定する。また、送信波長指定部１３ｅは、ＰＯＮブランチＢ３に属するＯＮＵ群４０−３に対して送信波長λ５を指定すると共に、ＰＯＮブランチＢ４に属するＯＮＵ群４０−４に対して送信波長λ１を指定する。
【００９６】
ＯＮＵ群４０−１〜４０−５の各々が当該指定された送信波長を搬送波としてデータ送信すれば、ＡＷＧ１６は、組合せ変更部１３ｄにより決定された組合せの通りに（例えば図１２に示されるように）受信部１５ｂ−１〜１５ｂ−５にデータを振り分けることができる。
【００９７】
以下、図１４を参照しつつ、下り通信時における管理部１３によるＰＯＮブランチ組合せ変更処理について説明する。収容局装置１０は、ＥＰＯＮにおける通常の通信確立処理に従って、ＯＮＵ群４０−１〜４０−Ｍとの間で通信を開始する。
【００９８】
通信開始後、要求帯域算出部１３ａは、周期的又は断続的に光通信路３０−１〜３０−Ｍを介して到来するレポート信号に含まれる、ＯＮＵ群４０−１〜４０−Ｍの各々についてのバッファ蓄積量を要求帯域としてＯＮＵ毎の要求帯域（ＯＮＵ要求帯域）を算出する。更に、要求帯域算出部１３ａは、全てのＯＮＵについてのＯＮＵ要求帯域を加算して総要求帯域を算出する（ステップＳ２１）。総要求帯域は記憶部１３ｂに記憶される。
【００９９】
閾値更新部１３ｃは、更新時刻が到来する毎に設定閾値を更新する（ステップＳ２２）。
【０１００】
先ず、閾値更新部１３ｃは、記憶部１３ｂに記憶されている総要求帯域を用いて、前回の更新時刻から現在の更新時刻までの間に含まれる総要求帯域の平均値（平均要求帯域）を算出する（ステップＳ２３）。
【０１０１】
次に、閾値更新部１３ｃは、スロープ値を算出する（ステップＳ２４）。この際、閾値更新部１３ｃは、現在の平均要求帯域と直前の平均要求帯域についての大きさの比較、及び、直前の平均要求帯域からの変化量に基づいてスロープ値を算出する。閾値更新部１３ｃによって算出されるスロープ値は、例えば＋０．１２５である。
【０１０２】
次に、閾値更新部１３ｃは、スロープ値に基づいて設定閾値を更新する（ステップＳ２５）。例えば、スロープ値が＋０．１２５であり且つ閾値更新部１３ｃが図３に示される帯域閾値テーブルを保持している場合、閾値更新部１３ｃは、設定閾値を１Ｇｂｐｓ減少させる。
【０１０３】
閾値更新部１３ｃによる設定閾値の更新後、組合せ変更部１３ｄは、ＰＯＮブランチの組合せを決定する。（ステップＳ２６）。この際、組合せ変更部１３ｄは、各ＰＯＮブランチについての要求帯域（ブランチ要求帯域）の合計が設定閾値を超えないように組合せを決定する。なお、ブランチ要求帯域は、１つのＰＯＮブランチに属するＯＮＵの各々のＯＮＵ要求帯域を加算することにより得られる。
【０１０４】
組合せ変更部１３ｄは、例えば図１２に示されるように、ＰＯＮブランチＢ１を１つのＰＯＮブランチ群として受信部１５ｂ−１に割り当て、ＰＯＮブランチＢ２とＢ５とを１つのＰＯＮブランチ群として組み合わせて受信部１５ｂ−２に割り当て、ＰＯＮブランチＢ３と４とを１つのＰＯＮブランチ群として組み合わせて受信部１５ｂ−３は割り当てる。組合せ変更部１３ｄは、当該組合せを示す組合せ通知をＰＯＮＭＡＣ１４に対して与える（ステップＳ２７）。また、組合せ変更部１３ｄは、当該組合せを示す組合せ通知を送信波長指定部１３ｅにも与える。
【０１０５】
送信波長指定部１３ｅは、組合せ変更部１３ｄからの組合せ通知に基づいて、ＯＮＵ群４０−１〜４０−Ｍの各々についての送信波長を決定し、光伝送路３０−１〜３０−Ｍを介してＯＮＵ群４０−１〜４０−Ｍの各々に対して当該送信波長の指定を行なう（ステップＳ２８）。この際、送信波長指定部１３ｅは、ある１つのＰＯＮブランチ群に属するＯＮＵからの上りデータの各々がＡＷＧ１６の出力ポートの１つに送出されるように当該ＯＮＵの各々に対して送信波長を指定する。例えば、図１２に示されるように組合せが決定され、且つ、組合せ変更部１３ｄが図１３に示される波長対応テーブルを有している場合には、送信波長指定部１３ｅは、ＯＮＵ群４０−１、４０−２、４０−３、４０−４、４０−５に対して例えば送信波長λ１、λ３、λ５、λ１、λ１をそれぞれ指定する。
【０１０６】
組合せ変更部１３ｄは、組合せの結果、受信部１５ｂ−１〜１５ｂ−ＮのうちのＰＯＮブランチが割り当てられないものをスリープ状態とする（ステップＳ２９）。
【０１０７】
ＯＮＵ群４０−１〜４０−Ｍに属する各ＯＮＵは、指定された送信波長を搬送波として上りデータを収容局装置１０に送信する。ＡＷＧ１６は、各上りデータをその送信波長に応じて受信部１５ｂ−１〜１５ｂ−Ｎのいずれかに供給する。
【０１０８】
上記したように、本実施例の収容局装置１０においては、上り通信の総要求帯域に応じて設定閾値を増減させる。設定閾値は、受信部の最大ラインレートよりも小さい値に設定される。そして、ＰＯＮブランチの要求帯域の合計が設定閾値を超えないように、受信部毎にＰＯＮブランチの組合せを決定する。かかる動作により、各受信部におけるブランチ要求帯域の合計値は設定閾値以下となり、各受信部は最大データレートに対して帯域余裕を有する。それ故、ＰＯＮブランチの組合せ決定後から次の組合せ更新時刻が到来するまでの間にブランチ要求帯域が増加した場合であっても、帯域不足になり難いという効果を奏する。
【０１０９】
このように、本実施例の収容局装置１０においては、総帯域要求が増加した場合には設定閾値を小さくし、１つの受信部に対して割り当てられるＰＯＮブランチの数を制限することにより、帯域余裕を確保する。一方、総帯域要求が減少した場合には設定閾値を大きくし、１つの受信部に対して割り当てられるＰＯＮブランチの数を増やすことにより、ＰＯＮブランチが割り当てられる受信部の数を減らして（すなわちスリープ状態とすることができる受信部の数を増やして）、消費電力を低減できる。
＜第１の変形例＞
以下に、上り通信時における管理部１３によるＰＯＮブランチの組合せ決定動作の変形例について説明する。
【０１１０】
要求帯域算出部１３ａは、Ｌ２スイッチ１１におけるＯＮＵ毎の通過トラフィック量、又は、バッファ１２ａ−１〜１２ａ−Ｎに蓄積されたＯＮＵ毎のトラフィック量を監視し、ＯＮＵ毎の要求帯域（以下、ＯＮＵ要求帯域と称する）を周期的又は断続的に算出する。
【０１１１】
更に、要求帯域算出部１３ａは、ＯＮＵ要求帯域からＰＯＮブランチＢ−１〜Ｂ−Ｍの各々についての要求帯域（ブランチ要求帯域）を算出する。ある１つのＰＯＮブランチについてのブランチ要求帯域は、当該１つのＰＯＮブランチに属するＯＮＵの各々のＯＮＵ要求帯域を加算することにより得られる。
【０１１２】
ＯＮＵ要求帯域をtraffic(t,n)とすると（ｔは最小時間単位、ｎはＯＮＵの総数）、ブランチ要求帯域branch_traffic(t,m)は（ｍはＰＯＮブランチの総数）、以下の式により算出される。
【０１１３】
【数４】
0005874447.tif 000005
【０１１４】
記憶部１３ｂは、要求帯域算出部１３ａによって周期的又は断続的に算出されたブランチ要求帯域を記憶する。また、記憶部１３ｂは、後述の閾値更新部１３ｃによって算出されたブランチ平均要求帯域についても記憶する。
【０１１５】
追加帯域決定部１３ｆは、更新時刻が到来する度にＰＯＮブランチ毎の追加帯域を決定する。更新時刻は一定の更新間隔毎に到来する。詳細には、追加帯域決定部１３ｆは、先ず、更新時刻が到来したときに、記憶部１３ｂに記憶されているブランチ要求帯域を用いて、更新間隔内（前回の更新時刻から現在の更新時刻までの間）に含まれるブランチ要求帯域の平均値（ブランチ平均要求帯域）をＰＯＮブランチ毎に算出する。算出されたブランチ平均要求帯域は、記憶部１３ｂに記憶される。
【０１１６】
更新間隔をＴとすると、ブランチ平均要求帯域bave_traffic(T)は以下の式により算出される。
【０１１７】
【数５】
0005874447.tif 000006
【０１１８】
次に、追加帯域決定部１３ｆは、ＰＯＮブランチ毎のスロープ値（以下、ブランチスロープ値と称する）を算出する。詳細には、追加帯域決定部１３ｆは、現在の平均要求帯域が直前の平均要求帯域と比較して、大きい場合にはプラス、小さい場合にはマイナス、同一である場合には０の符号とする。また、追加帯域決定部１３ｆは、現在の平均要求帯域に対する、直前の平均要求帯域からの帯域変化量を求める。
【０１１９】
送信部１５ａ−１〜１５ａ−Ｎの各々のラインレートをＲＬ、ＰＯＮブランチの総数をＭmaxとすると、ブランチスロープ値bslop(T)は以下の式により算出される。
【０１２０】
【数６】
0005874447.tif 000007
【０１２１】
例えば、ＲＬ＝１０Ｇｂｐｓ、Ｍｍａｘ＝８、且つ、現在の平均要求帯域が直前の平均要求帯域よりも１０Ｇｂｐｓだけ大きい場合には、ブランチスロープ値は０．１２５となる。
【０１２２】
次に、追加帯域決定部１３ｆは、ブランチスロープ値に基づいてＰＯＮブランチ毎の追加帯域を決定する。
【０１２３】
図１６には、ブランチスロープ値と追加帯域との関係が示されている。追加帯域決定部１３ｆは、あるＰＯＮブランチのブランチスロープ値がプラスである場合（図１６（ａ１）及び（ｂ１））には、当該ＰＯＮブランチの現在要求帯域に追加帯域を加える（図１６（ａ２）及び（ｂ２））。この際、追加帯域決定部１３ｆは、ブランチスロープ値が大きいほど追加帯域を大きくする。例えば、ブランチスロープ値が＋０．１２５である場合に追加帯域を１Ｇｂｐｓとし、ブランチスロープ値が＋０．５である場合に追加帯域を５Ｇｂｐｓとする。また、加帯域決定部１３ｆは、あるＰＯＮブランチのブランチスロープ値がマイナス又は０である場合（図１６（ｃ１））には、当該ＰＯＮブランチの現在要求帯域に対して追加帯域を加えない（図１６（ｃ２））。
【０１２４】
追加帯域決定部１３ｆは、例えば図１７に示される追加帯域テーブルを保持している。追加帯域テーブルにおいては、ブランチスロープ値と追加帯域量とが対応付けられている。追加帯域決定部１３ｆは、この対応関係に基づいて追加帯域量を決定する。例えば、ブランチスロープ値が＋０．２５０である場合には追加帯域量を３Ｇｂｐｓとする。また、ブランチスロープ値が−０．２５０である場合には追加帯域量を０Ｇｂｐｓとする。以下、１つのＰＯＮブランチについてのブランチ要求帯域と追加帯域とを合わせた帯域を、当該１つのＰＯＮブランチについての確保帯域と称する。
【０１２５】
組合せ変更部１３ｄは、追加帯域量の決定後、確保帯域の合計が最大データレートを超えないようにＰＯＮブランチの組合せを決定する。
【０１２６】
図１８には、送信部１５ａ−１に対するＰＯＮブランチの組合せの一例が示されている。ＰＯＮブランチＢ１、Ｂ２及びＢ３が１つのＰＯＮブランチ群である。これらのＰＯＮブランチの確保帯域の合計は最大データレートよりも小さくなっており、帯域余裕が確保される。更に、ＰＯＮブランチＢ１及びＢ２の各々についての追加帯域分も帯域余裕として確保される。例えば、ＰＯＮブランチＢ１の要求帯域が増加した場合には、ＰＯＮブランチＢ１についての追加帯域分で要求帯域の増加分をまかなうことができる。それ故、組合せ決定後に各ブランチ要求帯域が増加した場合であっても帯域不足になり難くなる。また、ＰＯＮブランチ毎のブランチスロープ値に応じて追加帯域を決定しているので、帯域余裕の過不足が小さくなるようにＰＯＮブランチの組合せを決定することができる。なお、ＰＯＮブランチが割り当てられない送信部についてはスリープ状態とすることができる。組合せ変更部１３ｄは、当該組合せを示す組合せ通知をＰＯＮＭＡＣ１４に与える。
【０１２７】
送信波長指定部１３ｅは、ＰＯＮＭＡＣ１４から各タイムスロットへのデータ割り当ての構成についての通知（タイムスロット構成通知）に応じて、タイムスロット毎（データ毎）の送信波長指定を送信部１５ａ−１〜１５ａ−Ｎに対して行なう。
【０１２８】
以下、図１９を参照しつつ、下り通信時における管理部１３によるＰＯＮブランチ組合せ決定処理について説明する。収容局装置１０は、ＥＰＯＮにおける通常の通信確立処理に従って、ＯＮＵ群４０−１〜４０−Ｍとの間で通信を開始する。
【０１２９】
通信開始後、要求帯域算出部１３ａは、Ｌ２スイッチ１１におけるＯＮＵ毎の下り通信についての通過トラフィック量、又は、バッファ１２ａ−１〜１２ａ−Ｎに蓄積されたＯＮＵ毎の下り通信についてのトラフィック量の監視を開始する。そして、要求帯域算出部１３ａは、周期的又は断続的に、ＰＯＮブランチ毎の要求帯域（ブランチ要求帯域）を算出する（ステップＳ３１）。ブランチ要求帯域は記憶部１３ｂに記憶される。
【０１３０】
追加帯域決定部１３ｆは、更新時刻が到来する度にＰＯＮブランチ毎の追加帯域を決定する（ステップＳ３２）。
【０１３１】
先ず、追加帯域決定部１３ｆは、記憶部１３ｂに記憶されているブランチ要求帯域を用いて、前回の更新時刻から現在の更新時刻までの間に含まれるＰＯＮブランチ毎のブランチ要求帯域の平均値（ブランチ平均要求帯域）を算出する（ステップＳ３３）。
【０１３２】
次に、追加帯域決定部１３ｆは、ＰＯＮブランチ毎のブランチスロープ値を算出する（ステップＳ３４）。この際、追加帯域決定部１３ｆは、ある１つのＰＯＮブランチについての現在のブランチ平均要求帯域と直前のブランチ平均要求帯域の大きさの比較、及び、直前のブランチ平均要求帯域からの変化量に基づいて当該１つのＰＯＮブランチについてのブランチスロープ値を算出する。追加帯域決定部１３ｆによって算出されるブランチスロープ値は、例えば＋０．１２５である。
【０１３３】
次に、追加帯域決定部１３ｆは、ブランチスロープ値に基づいてＰＯＮブランチ毎の追加帯域を決定する（ステップＳ３５）。例えば、スロープ値が＋０．１２５であり且つ追加帯域決定部１３ｆが図１７に示される追加帯域テーブルを保持している場合、追加帯域決定部１３ｆは、追加帯域を１Ｇｂｐｓとする。
【０１３４】
追加帯域決定部１３ｆによる追加帯域の決定後、組合せ変更部１３ｄは、ＰＯＮブランチの組合せを決定する。（ステップＳ３６）。この際、組合せ変更部１３ｄは、各ＰＯＮブランチについての確保帯域（ブランチ要求帯域と追加帯域の合計）の合計が設定閾値を超えないように、例えば図１８のように組合せを決定する。
【０１３５】
次に、組合せ変更部１３ｄは、当該組合せを示す組合せ通知をＰＯＮＭＡＣ１４に対して与える（ステップＳ３７）。ＰＯＮＭＡＣ１４は、組合せ通知により示される組合せに従って各ＯＮＵについてのデータをタイムスロットに収容し、送信部１５ａ−１〜１５ａ−Ｎに供給する。ＰＯＮＭＡＣ１４は、各データが割り当てられたタイムスロットの構成を示す情報の通知（タイムスロット構成通知）を送信波長指定部１３ｅに与える。
【０１３６】
送信波長指定部１３ｅは、タイムスロット構成通知に基づいて、各タイムスロットに割り当てられたデータについての送信波長指定を送信部１５ａ−１〜１５ａ−Ｎに与える（ステップＳ３８）。送信部１５ａ−１〜１５ａ−Ｎは、各データを当該送信波長指定により指定される送信波長を搬送波として送信する。ＡＷＧ１６は、各データの波長に応じて当該データを光伝送路３０−１〜３０−Ｍのいずれかに振り分ける。
【０１３７】
また、組合せ変更部１３ｄは、組合せの結果、送信部１５ａ−１〜１５ａ−ＮのうちのＰＯＮブランチが割り当てられないものをスリープ状態とする（ステップＳ３８）。
【０１３８】
上記したように、本実施例の収容局装置１０においては、ＰＯＮブランチ毎の下り通信の要求帯域に応じて追加帯域を決定する。要求帯域と追加帯域の合計を確保帯域とし、確保帯域の合計が送信部の最大データレートを超えないように、送信部毎にＰＯＮブランチの組合せを決定する。かかる動作により、各送信部におけるブランチ要求帯域の合計値は最大データレートよりも小さくなり、各送信部は最大データレートに対して帯域余裕を有する。それ故、ＰＯＮブランチの組合せ決定後から次の組合せ更新時刻が到来するまでの間にブランチ要求帯域が増加した場合であっても、帯域不足になり難いという効果を奏する。
【０１３９】
また、本変形例においてはＰＯＮブランチ毎のブランチスロープ値に応じて追加帯域を決定しているので、帯域余裕の過不足が小さくなるようにＰＯＮブランチの組合せを決定することができるという効果も奏する。
＜第２の変形例＞
上記の変形例は下り通信方向についての実施例であるが、上り通信方向の場合にも同様にＰＯＮブランチ毎のブランチスロープ値からＰＯＮブランチの組合せを決定することができる。なお、管理部１３の構成は、第１の変形例と同様に図１５に示される。また、追加帯域テーブルは、第１の変形例と同様に図１７に示される。
【０１４０】
以下、図２０を参照しつつ、上り通信時における管理部１３によるＰＯＮブランチ組合せ決定処理について説明する。収容局装置１０は、ＥＰＯＮにおける通常の通信確立処理に従って、ＯＮＵ群４０−１〜４０−Ｍとの間で通信を開始する。
【０１４１】
通信開始後、要求帯域算出部１３ａは、周期的又は断続的に光通信路３０−１〜３０−Ｍを介して到来するレポート信号に含まれる、ＯＮＵ群４０−１〜４０−Ｍの各々についてのバッファ蓄積量を要求帯域としてＯＮＵ毎の要求帯域（ＯＮＵ要求帯域）を算出する。そして、要求帯域算出部１３ａは、ＯＮＵ毎のＯＮＵ要求帯域からＰＯＮブランチ毎の要求帯域（ブランチ要求帯域）を例えば式（４）により周期的又は断続的に算出する（ステップＳ４１）。ブランチ要求帯域は記憶部１３ｂに記憶される。
【０１４２】
追加帯域決定部１３ｆは、更新時刻が到来する度にＰＯＮブランチ毎の追加帯域を決定する（ステップＳ４２）。
【０１４３】
先ず、追加帯域決定部１３ｆは、記憶部１３ｂに記憶されているブランチ要求帯域を用いて、前回の更新時刻から現在の更新時刻までの間に含まれるＰＯＮブランチ毎のブランチ要求帯域の平均値（ブランチ平均要求帯域）を例えば式（５）により算出する（ステップＳ４３）。
【０１４４】
次に、追加帯域決定部１３ｆは、ＰＯＮブランチ毎のブランチスロープ値を算出する（ステップＳ４４）。この際、追加帯域決定部１３ｆは、ある１つのＰＯＮブランチについての現在のブランチ平均要求帯域と直前のブランチ平均要求帯域の大きさの比較、及び、直前のブランチ平均要求帯域からの変化量に基づいて当該１つのＰＯＮブランチについてのブランチスロープ値を例えば式（６）により算出する。
【０１４５】
次に、追加帯域決定部１３ｆは、ブランチスロープ値及び例えば図１７に示される追加帯域テーブルに基づいてＰＯＮブランチ毎の追加帯域を決定する（ステップＳ４５）。
【０１４６】
追加帯域決定部１３ｆによる追加帯域の決定後、組合せ変更部１３ｄは、ＰＯＮブランチの組合せを決定する。（ステップＳ４６）。この際、組合せ変更部１３ｄは、各ＰＯＮブランチについての確保帯域（ブランチ要求帯域と追加帯域の合計）の合計が設定閾値を超えないように組合せを決定する。
【０１４７】
次に、組合せ変更部１３ｄは、当該組合せを示す組合せ通知をＰＯＮＭＡＣ１４に対して与える（ステップＳ４７）。また、組合せ変更部１３ｄは、当該組合せを示す組合せ通知を送信波長指定部１３ｅにも与える。
【０１４８】
送信波長指定部１３ｅは、組合せ変更部１３ｄからの組合せ通知に基づいて、ＯＮＵ群４０−１〜４０−Ｍの各々についての送信波長を決定し、光伝送路３０−１〜３０−Ｍを介してＯＮＵ群４０−１〜４０−Ｍの各々に対して当該送信波長の指定を行なう（ステップＳ４８）。この際、送信波長指定部１３ｅは、ある１つのＰＯＮブランチ群に属するＯＮＵからの上りデータの各々がＡＷＧ１６の出力ポートの１つに送出されるように当該ＯＮＵの各々に対して送信波長を指定する。
【０１４９】
組合せ変更部１３ｄは、組合せの結果、受信部１５ｂ−１〜１５ｂ−ＮのうちのＰＯＮブランチが割り当てられないものをスリープ状態とする（ステップＳ４８）。
【０１５０】
上記したように、本実施例の収容局装置１０においては、ＰＯＮブランチ毎の上り通信の要求帯域に応じて追加帯域を決定する。要求帯域と追加帯域の合計を確保帯域とし、確保帯域の合計が送信部の最大データレートを超えないように、受信部毎にＰＯＮブランチの組合せを決定する。かかる動作により、各受信部におけるブランチ要求帯域の合計値は最大データレートよりも小さくなり、各受信部は最大データレートに対して帯域余裕を有する。それ故、ＰＯＮブランチの組合せ決定後から次の組合せ更新時刻が到来するまでの間にブランチ要求帯域が増加した場合であっても、帯域不足になり難いという効果を奏する。
【０１５１】
また、本変形例においてはＰＯＮブランチ毎のブランチスロープ値に応じて追加帯域を決定しているので、帯域余裕の過不足が小さくなるようにＰＯＮブランチの組合せを決定することができるという効果も奏する。
【符号の説明】
【０１５２】
１０  収容局装置
１１  Ｌ２スイッチ
１２ａ−１〜１２ａ−Ｎ、１２ｂ−１〜１２ｂ−Ｎ  バッファ
１３  管理部
１３ａ  要求帯域算出部
１３ｂ  記憶部
１３ｃ  閾値更新部
１３ｄ  組合せ変更部
１３ｅ  送信波長指定部
１３ｆ  追加帯域決定部
１４  ＰＯＮＭＡＣ
１５ａ−１〜１５ａ−Ｎ  送信部
１５ｂ−１〜１５ｂ−Ｎ  受信部
１６  ＡＷＧ
２０  通信網
３０−１〜３０−Ｍ  光伝送路
４０−１〜４０−Ｍ  ＯＮＵ群
５１  ＷＤＭ
５２ａ  送信部
５２ｂ  受信部
５３  ＰＯＮＭＡＣ
５４ａ、５４ｂ  バッファ
５５  ＥｔｈｅｒＭＡＣ
６０  通信端末
【図１】
0005874447.tif 000008
【図２】
0005874447.tif 000009
【図３】
0005874447.tif 000010
【図４】
0005874447.tif 000011
【図５】
0005874447.tif 000012
【図６】
0005874447.tif 000013
【図７】
0005874447.tif 000014
【図８】
0005874447.tif 000015
【図９】
0005874447.tif 000016
【図１０】
0005874447.tif 000017
【図１１】
0005874447.tif 000018
【図１２】
0005874447.tif 000019
【図１３】
0005874447.tif 000020
【図１４】
0005874447.tif 000021
【図１５】
0005874447.tif 000022
【図１６】
0005874447.tif 000023
【図１７】
0005874447.tif 000024
【図１８】
0005874447.tif 000025
【図１９】
0005874447.tif 000026
【図２０】
0005874447.tif 000027